(57)【要約】      （修正有）【課題】シート本体に上辺と下辺方向の腰を持たせ、上部側が表面側又は裏面側に撓むことを抑制する自動販売機用ＰОＰシートを提供する。【解決手段】自動販売機の前面パネル１０４Ａの上端部に貼り付ける自動販売機用ＰОＰシート１であって、フィルムシート材料からなる横長長方形のシート本体２の表面２Ａ側に絵や文字、写真３を印刷すると共に、裏面２Ｂ側の下縁部寄りの位置に帯状に両面粘着テープ４を配設してなる。シート本体における左右の端縁２ａ、２ｂ近傍部と、左右方向の中央部に、上下方向に延在すると共に、表面側又は裏面側に突出するスジ押し部５を設ける。また、シート本体の上辺を、左右いずれか一方側から他方側にかけて緩やかに傾斜させる。更に、シート本体の上辺の一部に膨出部６を設ける。【選択図】図４
0003214385.tif 000002
【実用新案登録請求の範囲】
【請求項１】
フィルムシート材料からなる横長長方形のシート本体の表面側に絵や文字、写真を印刷すると共に、裏面側の下縁部寄りの位置に帯状に両面粘着テープを配設してなる自動販売機用ＰОＰシートにおいて、
前記シート本体における左右の端縁近傍部と、左右方向の中央部に、上下方向に延在すると共に、表面側又は裏面側に突出するスジ押し部を設けてなることを特徴とする自動販売機用ＰОＰシート。
【請求項２】
前記スジ押し部は、その上端部がシート本体の上辺よりやや下側に位置するようになした請求項１記載の自動販売機用ＰОＰシート。
【請求項３】
前記シート本体の上辺を、左右いずれか一方側から他方側にかけて緩やかに傾斜させてなる請求項１又は２記載の自動販売機用ＰОＰシート。
【請求項４】
前記シート本体の上辺の一部に膨出部を設けてなる請求項１、２又は３記載の自動販売機用ＰОＰシート。
【考案の詳細な説明】
【技術分野】
【０００１】
本考案は、自動販売機における前面パネルの上端部に貼り付ける自動販売機用ＰОＰシートに関するものである。
【背景技術】
【０００２】
商品の宣伝広告手段の一つとして、フィルムシート材料に絵や文字、写真を印刷したＰОＰシートを、自動販売機における前面パネルの上端部に貼り付ける手段がある。
【０００３】
そして、斯かる手段において用いられている従来のＰОＰシートは、図５乃至図７に示す通りである。
【０００４】
図５はＰОＰシートの裏面図、図６は該ＰОＰシートを自動販売機における前面パネルの上端部に貼り付けた状態の部分拡大正面図、図７は該ＰОＰシートの問題点の説明図である。
【０００５】
該図において、１００はＰОＰシートである。また、ＰОＰシート１００は、フィルムシート材料を横長長方形に裁断したシート本体１０１の表面１０１Ａ側に絵や文字、写真１０２を印刷すると共に、裏面１０１Ｂ側の下縁部寄りの位置に帯状に両面粘着テープ１０３を配設してなるものである。そして、図６に示す如く、前記両面粘着テープ１０３をもって自動販売機１０４における前面パネル１０４Ａの上端部に貼り付けるものである。
【０００６】
而して、斯かる従来のＰОＰシート１００には、図７に示す如き問題点がある。それは、貼り付けたＰОＰシート１００におけるシート本体１０１の上部側が自重により表面側又は裏面側に撓んでしまったり、風に煽られてひらひらしてしまったりすることである。
【０００７】
しかし、このように撓んでしまったり、風に煽られてひらひらしてしまったりすると、ＰОＰシートそのものが宣伝広告媒体として安っぽい印象を与え、延いてはこれを用いて宣伝広告している商品のイメージをダウンさせる虞もある。また、シート本体１０１が横長長方形であり、風圧を受ける面積が大きいから、強い風が吹くと煽られて両面粘着テープ１０２が剥がれる虞もある。
【考案の概要】
【考案が解決しようとする課題】
【０００８】
本考案は上記の点に鑑みなされたものであって、ＰОＰシートに上辺と下辺方向の腰を持たせ、自動販売機における前面パネルの上端部に貼り付けた状態において自重により上部側が表面側又は裏面側に撓むことがないと共に、風に煽られてひらひらすることもないようになした自動販売機用ＰОＰシートを提供しようとするものである。
【課題を解決するための手段】
【０００９】
而して、本考案の要旨とするところは、フィルムシート材料からなる横長長方形のシート本体の表面側に絵や文字、写真を印刷すると共に、裏面側の下縁部寄りの位置に帯状に両面粘着テープを配設してなる自動販売機用ＰОＰシートにおいて、前記シート本体における左右の端縁近傍部と、左右方向の中央部に、上下方向に延在すると共に、表面側又は裏面側に突出するスジ押し部を設けてなることを特徴とする自動販売機用ＰОＰシートにある。
【００１０】
また、上記構成において、スジ押し部を、その上端部がシート本体の上辺よりやや下側に位置するようになしてもよい。
【００１１】
また、上記構成において、シート本体の上辺を、左右いずれか一方側から他方側にかけて緩やかに傾斜面させるようになしてもよい。
【００１２】
また、上記構成において、シート本体の上辺の一部に膨出部を設けるようになしてもよい。
【考案の効果】
【００１３】
本考案は上記の如き構成であり、シート本体における左右の端縁近傍部と、左右方向の中央部に、上下方向に延在すると共に、表面側又は裏面側に突出するスジ押し部を設けてなるものであるから、該スジ押し部によってＰОＰシートに、その上辺と下辺方向の腰を持たせ、撓みにくくすることができるものである。したがって、自動販売機における前面パネルの上端部に貼り付けた状態において、従来のＰОＰシートにおけるＰОＰシート本体の上部側が自重により表面側又は裏面側に撓んでしまったり、風に煽られてひらひらしてしまったりする問題点を解消することができるものである。
【００１４】
また、スジ押し部を、その上端部がシート本体の上辺よりやや下側に位置するようになした場合には、シート本体の上部側における上辺近傍部の腰の強さが弱まり、強い風が吹いたときにこの部分において風圧を受け流すことができる。したがって、シート本体の全面にわたって風圧を受ける場合に比して両面粘着テープが剥がれる確率を低くすることができるものである。
【００１５】
また、シート本体の上辺を、左右いずれか一方側から他方側にかけて緩やかに傾斜させるようになした場合には、シート本体の全体の面積を少なくすることができ、もってシート本体の上部側の自重による表面側又は裏面側への撓みや風に煽られてひらひらすることを抑えることができるものである。また、風圧も少なくなることから、両面粘着テープが剥がれる確率も低くすることができるものである。
【００１６】
また、シート本体の上辺の一部に膨出部を設けた場合には、シート本体が立体的な風合いを持つようになり、目立ち易くなるものである。したがって、宣伝広告媒体としての効果を向上させることができるものである。
【図面の簡単な説明】
【００１７】
【図１】本考案の実施形態に係る自動販売機用ＰОＰシートの裏面図である。
【図２】図１中Ａ部分の拡大横断面図である。
【図３】図１中Ａ部分の拡大縦断面図である。
【図４】同使用状態図である。
【図５】従来の自動販売機用ＰОＰシートの裏面図である。
【図６】同使用状態図である。
【図７】同問題点の説明図である。
【考案を実施するための形態】
【００１８】
以下、本考案を実施するための形態について、図面を参照して説明する。
【００１９】
図中、１は自動販売機用ＰОＰシートである。また、該自動販売機用ＰОＰシート１は、フィルムシート材料からなる横長長方形のシート本体２の表面２Ａ側に絵や文字、写真３を印刷すると共に、裏面２Ｂ側の下縁部寄りの位置に帯状に両面粘着テープ４を配設してなるものである。斯かる構成においては、前記従来の自動販売機用ＰОＰシートと同様である。
【００２０】
而して、本実施形態は、斯かるＰОＰシート１において、シート本体２における左右の端縁２ａ、２ｂ近傍部と、左右方向の中央部に、上下方向に延在すると共に、表面２Ａ側に突出するスジ押し部５を設けてなることを特徴とするものである。尚、前記スジ押し部５は、本実施形態においては、シート本体２の裏面側からのスジ押し手段（図示せず。）によって表面２Ａ側に突出するようになしているが、裏面２Ｂ側に突出するようになしてもよい。
【００２１】
また、前記シート本体２の形態は、本実施形態においては、シート本体２の上辺を、右側の端縁２ａから左側の端縁２ｂにかけて緩やかに傾斜Ｓさせているが、これの逆としてもよい。また、図示はしないが、従来と同様の形態であってもよい。尚、図１において一点鎖線は従来のシート本体の形態を示す。
【００２２】
そしてまた、前記スジ押し部５は、その上端部５′がシート本体２の上辺よりやや下側に位置するようになしている。また、本実施形態においては、シート本体２の左右方向の中央部のスジ押し部５は、真中の位置よりもやや右側の端縁２ａ寄りにずらして設けている。
【００２３】
また、本実施形態においては、シート本体２の上辺の一部に膨出部６を設けている。尚、該膨出部６は、適宜の形状とする。
【００２４】
そして、上記実施形態に係る自動販売機用ＰОＰシート１は、従来と同様に、図４に示す如く、両面粘着テープ４をもって自動販売機１０４における前面パネル１０４Ａの上端部に貼り付けるものである。
【００２５】
本実施形態は上記の如き構成であり、シート本体２における左右の端縁２ａ、２ｂ近傍部と、左右方向の中央部に、上下方向に延在すると共に、表面側又は裏面側に突出するスジ押し部５を設けてなるものであるから、該スジ押し部５によってＰОＰシートに、その上辺と下辺方向の腰を持たせ、撓みにくくすることができるものである。したがって、自動販売機１０４における前面パネル１０４Ａの上端部に貼り付けた状態において、従来のＰОＰシートにおけるＰОＰシート本体の上部側が自重により表面側又は裏面側に撓んでしまったり、風に煽られてひらひらしてしまったりする問題点を解消することができるものである。
【００２６】
また、スジ押し部５を、その上端部５′がシート本体２の上辺よりやや下側に位置するようになしたから、シート本体２の上部側における上辺近傍部の腰の強さが弱まり、強い風が吹いたときにこの部分において風圧を受け流すことができる。したがって、シート本体２の全面にわたって風圧を受ける場合に比して両面粘着テープ４が剥がれる確率を低くすることができるものである。
【００２７】
また、シート本体２の上辺を、左右いずれか一方側から他方側にかけて緩やかに傾斜Ｓさせるようになしたから、シート本体２の全体の面積を少なくすることができ、もってシート本体２の上部側の自重による表面側又は裏面側への撓みや風に煽られてひらひらすることを抑えることができるものである。また、風圧も少なくなることから、両面粘着テープ４が剥がれる確率も低くすることができるものである。
【００２８】
また、シート本体２の上辺の一部に膨出部６を設けたから、シート本体２が立体的な風合いを持つようになり、目立ち易くなるものである。したがって、宣伝広告媒体としての効果を向上させることができるものである。
【符号の説明】
【００２９】
１  自動販売機用ＰОＰシート
２  シート本体
２Ａ  シート本体の表面
２Ｂ  シート本体の裏面
２ａ  シート本体の右側の端縁
２ｂ  シート本体の左側の端縁
３  印刷した絵画、文字、写真
４  両面粘着テープ
５  スジ押し部
６  シート本体の上辺の膨出部
【図１】
0003214385.tif 000003
【図２】
0003214385.tif 000004
【図３】
0003214385.tif 000005
【図４】
0003214385.tif 000006
【図５】
0003214385.tif 000007
【図６】
0003214385.tif 000008
【図７】
0003214385.tif 000009